(57)【要約】      （修正有）【課題】書類を綴じることなく一時的に保管するマチ付きフォルダーの欠点である、書類挿入時のマチ部谷折り部に対する書類のひっかかり問題や、マチの折り込みによる書類なし時でも厚みがあるなどの問題を解決する書類用フォルダーを提供する。【解決手段】剛性のある基板シート２に底部の両角が切り欠かれた書類ポケットを形成し、ポケットの基板シートへの取り付け部に伸縮性のある波状折り筋を設けた書類収納用フォルダーとする。【選択図】図４
2013107309.tif 000002
【特許請求の範囲】
【請求項１】
剛性を備えた基板シートに、ポケットシートを取り付けて書類用ポケットを形成し、ポケット底部側のポケットシートの両角部を切り欠いてある事を特徴とする書類用フォルダー。
【請求項２】
ポケットシートの基板シートへの取り付け部近くには、取り付け部に平行に波状またはジャバラ状の折り筋等による伸縮部位を設けたことを特徴とする請求項１記載の書類用フォルダー。
【発明の詳細な説明】
【技術分野】
【０００１】
本発明は、書類を綴じずに収納出来る書類収納フォルダーに関し、更に詳しくは収納する書類量に応じて収納部厚みが変化可能なポケット付き書類収納フォルダーに関する。
【背景技術】
【０００２】
従来より、書類をとじ具で綴じずに、一時保管的目的からバラで書類収納する持ち出し可能フォルダーが使われている（特許文献１）。紙製ならば３辺に谷折りしたマチ式のポケットを設け、上からの投げ入れ式か、ブック式（フラットファイルのように両開きする）の表紙に谷折りマチによるポケットを設け、どちらも書類非収納時はマチが畳まれ、書類の量により谷折りマチが開く紙製フォルダーが多く使われている。
【０００３】
しかし上記従来の谷折りマチ方式では、マチの最大幅（谷折り部が完全に延びて平らになる）まで書類を詰め込まない限り、マチが山状にポケット内側に突き出しているため収納した書類は揃わず、また書類収納時、フォルダー内側に折れ曲がった谷折り部が書類の収納を邪魔するなど使い勝手が悪かった。これらブック型でない投げ入れ式は逆さにすれば書類は抜け落ちてしまったり、背表紙部がないため本棚や書類棚にブック方式で保管するのには適さなかった。また、マチ部を設けたポケットはマチ部の折り込みなどで生産はアチ付与の工程数を要するものになっていた。
【０００４】
【特許文献１】特開２００３−２５７７７
【発明の開示】
【発明が解決しようとする課題】
【０００５】
本発明が解決しようとしている課題は、谷折りのマチ方式を用いないで厚み調整可能な
書類収納ポッケトを有した書類収納フォルダーを提供することにある。
【課題を解決するための手段】
【０００６】
第一の課題解決手段は、剛性を備えた基板シートに、ポケットシートを取り付けて書類用ポケットを形成し、ポケット底部側のポケットシートの両角部を切り欠いてある事を特徴とする書類用フォルダーとする。
【０００７】
第二の課題解決手段は、ポケットシートの基板シートへの取り付け部には、取り付け部に平行に波状またはジャバラ状の折り筋等による伸縮部位を設けたことを特徴とする第一の課題解決手段記載の書類用フォルダーとする。
【発明の効果】
【０００８】
本発明による効果は以下の通りである。従来の書類収納フォツダーの特徴でる谷折りマチがなくても、収納する書類量（厚さ）に応じて書類収納ポケットの書類収納部厚みを変化させることが出来、谷折りマチがないため書類の収納時、マチの谷折り部に書類が引っかかるという不便がなくなり、かつ従来の谷折りマチ方式より、書類未収能の状態でもフォルダーの厚みは薄くて済む。このため両開き表裏紙両面内側にポケットを設けることが可能となり、バラ収納といえども少なくとも表裏ポケットに２種類に書類を分類して保管可能となり大変便利である。即ち本フォルダーは、フラットファイルの如く扱う事が出来、背表紙にもタイトル表示をすれば、机の引き出しではなく、書類棚に整理保管することが可能になる。
【０００９】
上記効果は一義的には、ポケット底部の両コーナーのポケットシートが切り欠かれていることによる書類収納厚み調整能にある。この切り欠きが大きいほど書類収納最大厚みが増えることになる。更にポケットの基板シートへの取り付け部のポケットシートに取り付け部に平行して伸縮性のある折り筋を入れる事で、ポケットが書類量みに応じた厚み変化を可能とする。この発明により、従来のポケット内側へのマチの折り込みによる書類収納時のマチ谷部への書類の引っかかりがなくなる。フラットファイルのような両開きファイルの左右表紙に本発明によるポケットを用いれば、バラの書類でも少なくとも２分類して収納保管が楽に出来、大変便利である。
【発明を実施するための最良の形態】
【００１０】
図１は１枚の板紙を打ち抜いた実施例１の展開図である。４角７、８、９、１０に囲まれ表紙となる矩形基板シート１の３辺１１、１２、１３には該３辺が構成する基板シート１の２角７、８からポケットの最大厚み分以上の距離を離してポケットシート４、５、６が折り筋１１ａ、１２ａ、１３ａを介して延設されている。ポケットシート４、５、６には波状折り筋１１ｂ、１２ｂ、１３ｂが設けられている。この波状折り筋は展開図の抜きと同時に同じ抜き型で付与出来るため、このためのコストアップにはならずにこの部分の伸縮性の付与が可能となる。
【００１１】
図２は、図１に於いて、まずポケットシート４を、折り筋１１ａを介して表紙である基板シート１上面に折り曲げ、次にポケットシート５、６を折り筋１２ａ、１３ａを介して表紙１上面側に折り曲げ、ポケットシート４と重なる部分を接着した状態の平面図である。これで本発明の実施例１は完成である。図３は完成品の斜視図である。ポケットシート４、５、６と表紙である基板シート１により出来上がったポケットに集積された書類Ｄを挿入保管した状態の斜視図が図４である。尚、図３におけるＸ−Ｘ断面図を図５に示す。図５においては、１２ｂ、１３ｂの波状折り筋が断面として示されている。又、ポケットシート４、５、６の接合状況も示されている。
【００１２】
図４では、集積した書類Ｄをポケットに挿入収納した斜視図であるが、フォルダーのポケット底両角部から書類Ｄがはみ出して見えているのが分かる。このポケット底両角部の開放部及びポケットシート３片の波状折り筋部１１ｂ、１２ｂ、１３ｂにより、書類の集積厚みを調整している事が理解できよう。
【００１３】
即ち、本発明によるフォルダーは、通常のマチを必要としないで収納する書類の厚み調整が可能となり、マチがないため書類未収能の状態ではマチ付きフォルダーに比べても薄く、書類収納時には、書類がマチ部の谷折り部にひっかかるような問題もない。
【００１４】
実施例１から分かるように、ポケットは裏表紙となる基板シート２にも基板シート１同様に設けることが可能であり、ポケットを左右に設ければ少なくとも書類を２分類して収納する事が出来、より便利になる。又、背表紙３は必要に応じて設ければよい事は当然である。尚、フォルダーの４角７、８、９、１０は直角部の角をとり、円弧の一部にしても、本発明の効果は変わらないことも理解できよう。即ち、本実施例から分かる様に、板紙１枚を打ち抜いたシートをポケット部を折り曲げポケットシートどうしを接着しただけで本発明によるフォルダーは完成する。
【００１５】
本実施例１では、ポケットシート３片はフォルダー表紙である基板シート１の上面において、重なり部どうしを接着固定したが、同じ重なり部を切り込み等で挟んで係止したり、接着することなく係止しても発明効果に変わりないことも理解できよう。又、基板シートに対してより小さな本発明からなるポケットを設ける事も可能である。基板シートとポケットシート部材を別部材にすることもかのうであり、板紙だけでなくプラスチックシートを用いる事も可能であることも理解できよう。
【図面の簡単な説明】
【００１６】
【図１】展開図
【図２】完成平面図
【図３】完成斜視図
【図４】書類収納状態斜視図
【図５】図３に於けるＸ−Ｘ断面図
【符号の説明】
【００１７】
１                    基板シート（表紙）
２                    基板シート（裏表紙）
３                    背表紙
４、５、６            ポケットシート
４ａ、５ａ、６ａ      波状折り筋
７、８、９、１０      角
１１、１２、１３      端辺
１１ａ、１２ａ、１３ａ折り筋
１４、１５            折り筋
【図１】
2013107309.tif 000003
【図２】
2013107309.tif 000004
【図３】
2013107309.tif 000005
【図４】
2013107309.tif 000006
【図５】
2013107309.tif 000007